【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
下記一般式（Ｉ）で表される化合物。
【化１】
2007027587.tif 000001
（式中、
Ｒ１１およびＲ１２は、それぞれ独立して、水素原子、アルキル基、置換されていてもよいアリール基、置換シリル基、置換されていてもよい窒素含有複素環基、またはシアノ基の少なくとも一つであり、
Ｒ１３〜Ｒ１６は、それぞれ独立して、置換されていてもよいアルキル基、または置換されていてもよいアリール基であり、
Ｘは、置換されていてもよいアリーレン基であり、
Ｙは、置換されていてもよい炭素数１６以下のアリール基、置換ボリル基、または置換されていてもよいカルバゾール基であり、そして、
ｎはそれぞれ独立して０〜３の整数である。）
【請求項２】
下記一般式（II）で表される、請求項１に記載する化合物。
【化２】
2007027587.tif 000002
（式中、
Ｒ１１およびＲ１２は、それぞれ独立して、水素原子、アルキル基、置換されていてもよいアリール基、置換シリル基、置換されていてもよい窒素含有複素環基、またはシアノ基の少なくとも一つであり、
Ｒ１３〜Ｒ１６は、それぞれ独立して、置換されていてもよいアルキル基、または置換されていてもよいアリール基であり、
Ｒ２１およびＲ２２は、それぞれ独立して、それぞれ独立して、水素原子、アルキル基、置換されていてもよいアリール基、置換シリル基、置換されていてもよい窒素含有複素環基、またはシアノ基の少なくとも一つであり、
Ｘ１は、置換されていてもよい炭素数２０以下のアリーレン基であり、
ｎはそれぞれ独立して０〜３の整数であり、そして、
ｍはそれぞれ独立して０〜４の整数である。）
【請求項３】
下記一般式（III）で表される、請求項１に記載する化合物。
【化３】
2007027587.tif 000003
（式中、
Ｒ１１およびＲ１２は、それぞれ独立して、水素原子、アルキル基、置換されていてもよいアリール基、置換シリル基、置換されていてもよい窒素含有複素環基、またはシアノ基の少なくとも一つであり、
Ｒ１３〜Ｒ１６は、それぞれ独立して、置換されていてもよいアルキル基、または置換されていてもよいアリール基であり、
Ｘ１は、置換されていてもよい炭素数２０以下のアリーレン基であり、そして、
ｎはそれぞれ独立して０〜３の整数である。）
【請求項４】
下記一般式（IV）で表される、請求項１に記載する化合物。
【化４】
2007027587.tif 000004
（式中、
Ｒ１１およびＲ１２は、それぞれ独立して、水素原子、アルキル基、置換されていてもよいアリール基、置換シリル基、置換されていてもよい窒素含有複素環基、またはシアノ基の少なくとも一つであり、
Ｒ１３〜Ｒ１６は、それぞれ独立して、置換されていてもよいアルキル基、または置換されていてもよいアリール基であり、
Ｘ１は、置換されていてもよい炭素数１０以下のアリーレン基であり、
Ｙ１は、置換されていてもよい炭素数１４以下のアリール基であり、そして、
ｎはそれぞれ独立して０〜３の整数である。）
【請求項５】
Ｘ１で表される、置換されていてもよい炭素数２０以下のアリーレン基のうち、アリーレン部位は、それぞれ独立に、下記式(X-1)〜(X-9)のいずれかである、請求項２又は３に記載の化合物。
【化５】
2007027587.tif 000005
（式中、
Ｒａは、それぞれ独立してアルキル基又は置換されていてもよいフェニル基である。）
【請求項６】
Ｘ１で表される、置換されていてもよい炭素数１０以下のアリーレン基のうち、アリール部位は、フェニレン基またはナフチレン基であり、そして、
Ｙ１で表される、置換されていてもよい炭素数１４以下のアリール基のうち、アリール部位は、下記式(Y-1)〜(Y-3)のいずれかである、請求項４に記載の化合物。
【化６】
2007027587.tif 000006
【請求項７】
下記式(II-1)で表される請求項２に記載の化合物。
【化７】
2007027587.tif 000007
（式中、
Ｒ３１〜Ｒ３４は、それぞれ独立して、メチル基、イソプロピル基又はフェニル基のいずれかであり、そして、
Ｒ３５及びＲ３６は、それぞれ独立して、水素原子、メチル基、イソプロピル基又はフェニル基のいずれかである。）
【請求項８】
下記式(II-2)で表される請求項２に記載の化合物。
【化８】
2007027587.tif 000008
（式中、
Ｒ３１〜Ｒ３４は、それぞれ独立して、メチル基、イソプロピル基又はフェニル基のいずれかであり、そして、
Ｒ３５及びＲ３６は、それぞれ独立して、水素原子、メチル基、イソプロピル基又はフェニル基のいずれかである。）
【請求項９】
下記式(II-3)で表される請求項２に記載の化合物。
【化９】
2007027587.tif 000009
（式中、
Ｒ３１〜Ｒ３４は、それぞれ独立して、メチル基、イソプロピル基又はフェニル基のいずれかであり、そして、
Ｒ３５及びＲ３６は、それぞれ独立して、水素原子、メチル基、イソプロピル基又はフェニル基のいずれかである。）
【請求項１０】
下記式(II-4)で表される請求項２に記載の化合物。
【化１０】
2007027587.tif 000010
（式中、
Ｒ３１〜Ｒ３４は、それぞれ独立して、メチル基、イソプロピル基又はフェニル基のいずれかであり、そして、
Ｒ３５及びＲ３６は、それぞれ独立して、水素原子、メチル基、イソプロピル基又はフェニル基のいずれかである。）
【請求項１１】
下記式(III-1)で表される請求項３に記載の化合物。
【化１１】
2007027587.tif 000011
（式中、
Ｒ３１〜Ｒ３４は、それぞれ独立して、メチル基、イソプロピル基又はフェニル基のいずれかであり、そして、
Ｒ３５及びＲ３６は、それぞれ独立して、水素原子、メチル基、イソプロピル基又はフェニル基のいずれかである。）
【請求項１２】
下記式(IV-1)で表される請求項４に記載の化合物。
【化１２】
2007027587.tif 000012
（式中、
Ｒ３１〜Ｒ３４は、それぞれ独立して、メチル基、イソプロピル基又はフェニル基のいずれかであり、そして、
Ｒ３５及びＲ３６は、それぞれ独立して、水素原子、メチル基、イソプロピル基又はフェニル基のいずれかである。）
【請求項１３】
下記式(IV-2)で表される請求項４に記載の化合物。
【化１３】
2007027587.tif 000013
（式中、
Ｒ３１〜Ｒ３４は、それぞれ独立して、メチル基、イソプロピル基又はフェニル基のいずれかであり、そして、
Ｒ３５及びＲ３６は、それぞれ独立して、水素原子、メチル基、イソプロピル基又はフェニル基のいずれかである。）
【請求項１４】
請求項１〜１３のいずれかに記載する化合物を含有する、バッファー層用材料。
【請求項１５】
陽極と陰極との間に配置された発光層と、
前記陰極と前記発光層との間に配置された電子輸送層と、
前記陽極と前記発光層との間に配置された正孔輸送層と、
前記電子輸送層と前記発光層との間に配置され、請求項１４に記載するバッファー層用材料を含むバッファー層と、
を有する有機電界発光素子。
【請求項１６】
有機電界蛍光発光素子である、請求項１５に記載の有機電界発光素子。
【請求項１７】
前記発光層が、少なくとも１つのアントラセン環を分子構造中に含む少なくとも１つの材料または少なくとも１つのピレン環を分子構造中に含む少なくとも１つの材料と、発光波長が４００〜５００ｎｍにピークを有する蛍光性発光材料とを含む、請求項１６に記載の有機電界発光素子。
【請求項１８】
前記蛍光性発光材料が、少なくとも１つの置換アミノ基または少なくとも１つのペリレン環または少なくとも１つのクマリン骨格を分子構造中に含む、請求項１７に記載の有機電界発光素子。
【請求項１９】
前記電子輸送層が、少なくとも１つの下記式（Ｖ）で表されるキノリノール錯体を含む、請求項１５ないし１８のいずれかに記載の有機電界発光素子。
【化１４】
2007027587.tif 000014
（式中、
Ｒ１〜Ｒ６は、水素原子、フッ素、アルキル基、アラルキル基、アルケニル基、シアノ基、アルコキシ基、置換されていてもよいアリール基、または置換されていてもよい芳香族複素環基であり、
Ｍは、Ａｌ、Ｇａ、またはＺｎであり、そして、
ｎは、２または３の整数である。）
【請求項２０】
前記電子輸送層が、少なくとも１つの下記式（VI）で表されるビピリジル化合物を含む、請求項１５ないし１８のいずれかに記載の有機電界発光素子。
【化１５】
2007027587.tif 000015
（式中、
Ｇは、単なる結合手またはｎ価の連結基を表し、
ｎは、２〜８の整数であり、そして、
Ｒ１〜Ｒ８は、それぞれ独立に、水素原子または置換基またはＧを表す。
ただし、Ｒ１〜Ｒ８のうち少なくとも１つはＧを表す。またｎ個の、Ｒ１〜Ｒ８と２，２’−ビピリジル核で形成される２，２’−ビピリジル残基は、同一であっても異なっていても良く、さらにＲ１〜Ｒ８の隣接する置換基同士は互いに縮合して環を形成しても良い。）
【請求項２１】
前記電子輸送層が、少なくとも１つの下記式（VII）で表されるフェナンスロリン化合物を含む、請求項１５ないし１８のいずれかに記載の有機電界発光素子。
【化１６】
2007027587.tif 000016
（式中、
Ｇは、単なる結合手またはｎ価の連結基を表し、
ｎは、２〜８の整数であり、そして、
Ｒ１〜Ｒ８は、それぞれ独立に水素原子または置換基またはＧを表す。
ただし、Ｒ１〜Ｒ８のうち少なくとも１つはＧを表す。またｎ個の、Ｒ１〜Ｒ８とフェナントロリン核で形成されるフェナントロリン残基は、同一であっても異なっていても良く、さらにＲ１〜Ｒ８の隣接する置換基同士は互いに縮合して環を形成しても良い。）
【請求項２２】
前記電子輸送層が、少なくとも１つの下記式（VIII）で表されるイミダゾール化合物を含む、請求項１５ないし１８のいずれかに記載の有機電界発光素子。
【化１７】
2007027587.tif 000017
（式中、
ｎは、２〜８の整数であり、
Ｒ及びＲ’は、それぞれ独立に、水素、１〜２４の炭素原子をもつアルキル、アリールまたはヘテロ原子置換アリールであり、そして、
Ｌは、置換されていてもよいアリール基である。）
【請求項２３】
請求項１５ないし２２のいずれかに記載の有機電界発光素子を備えた表示装置。
【請求項２４】
請求項１５ないし２２のいずれかに記載の有機電界発光素子を備えた照明装置。